(57)【要約】【課題】  ガラスのかまちを取り付ける際に、１名の作業者で作業が行なえると共に、迅速かつ安全に作業が行なえるガラスの回転作業台を提供する。【解決手段】 基板１０の両端に２本の支持脚２１を立設し、この支持脚２１の上部を連結すると共に、支持脚２１の下部にガラスの載置部２５を形成した支持部２０を構成する。このように構成した２個の支持部２０を対向して配置して、それぞれの上端を回動軸４０で連結すると共に、下部を横枠２３で連結して固定する。この回動軸４０に一定角度回動可能な作業台３０を貫通して取り付ける。そしてこの作業台３０の上面には、ガラス８０を固定するための吸盤機構５２と滑り止め手段５１を備えたガラスの固定板５０を構成した。【選択図】図１
2006322274.tif 000002
【特許請求の範囲】
【請求項１】
下部にガラスの載置部を備えた支持部を構成し、この支持部の上部に回動軸を取り付けると共に、ガラスの固定手段を備えた作業台を構成し、この作業台を上記回動軸によって支持部に回動可能に取り付けてなるガラスの回転作業台。
【請求項２】
下部にガラスの載置部を備えた支持部を２個構成し、この２個の支持部を対向して配置して上端を回動軸で連結し、
上記回動軸に作業台を回動可能に取り付ける共に、この作業台の上面には、ガラスを固定するための吸盤機構を備えたガラスの固定板を構成したガラスの回転作業台。
【請求項３】
作業台に駆動機構を取り付け、作業者の操作によって作業台を駆動機構によって回動させることを特徴とする請求項１または請求項２記載のガラスの回転作業台。
【請求項４】
上記ガラスの載置部を支持部に対して上下方向に移動可能に構成したことを特徴とする請求項１または請求項２または請求項３記載のガラスの回転作業台。
【発明の詳細な説明】
【技術分野】
【０００１】
本発明は、ガラスの回転作業台に関するものであり、詳細にはペアガラス等の重量のあるガラスの周囲にかまちの取り付ける作業等を効率よく行なうために使用する回転作業台に関する。
【背景技術】
【０００２】
ペアガラスなどの大型ガラスが窓、扉等の部屋の内装に使用されている。このガラスを取り付ける際には、周囲の縁部に、かまちと呼ばれる枠体を取り付けなくてはならない。
【０００３】
このかまちの取り付けに際しては、従来では傾斜した作業台にガラスを立て掛けて、まずガラスの上縁部と両端縁部のかまちを取り付けていた。その後、２名の作業者でガラスの両側部を持って、ガラスを持ち上げてひっくり返して上縁部を下にして置き、上になった下縁部にかまちを取り付けていた。
【０００４】
このような従来の方法では、かまちの取り付け作業に２名の作業者が必要である。さらにガラスを持ち上げて回転させる作業は重労働である上に危険を伴う。さらに作業時間もかかるという問題点もあった。特にペアガラスのように重量のあるガラスでは、これらの問題点が顕著に表れていた。
【発明の開示】
【発明が解決しようとする課題】
【０００５】
本発明は上記の点に鑑みなされたものであり、ガラスのかまちの取り付け作業等において、１名の作業者で作業が行なえると共に、迅速かつ安全に作業が行なえるガラスの回転作業台を提供するものである。
【課題を解決するための手段】
【０００６】
本発明の要旨とするところは、ガラスの回転作業台において、下部にガラスの載置部を備えた支持部を構成し、この支持部の上部に回動軸を取り付けると共に、ガラスの固定手段を備えた作業台を構成し、この作業台を上記回動軸によって支持部に回動可能に取り付けたことにある。
【０００７】
また本発明の要旨とするところは、下部にガラスの載置部を備えた支持部を２個構成し、この２個の支持部を対向して配置して上端を回動軸で連結し、上記回動軸に作業台を回動可能に取り付ける共に、この作業台の上面には、ガラスを固定するための吸盤機構を備えたガラスの固定板を構成したことにある。
【０００８】
また本発明の要旨とするところは、上記作業台に駆動機構を取り付け、作業者の操作によって作業台を駆動機構によって回動させることにある。
【０００９】
また本発明の要旨とするところは、上記ガラスの載置部を支持部に対して上下方向に移動可能に構成したことにある。
【発明の効果】
【００１０】
本発明は上記の如き構成であるため、簡易な構成でありながら、ガラスのかまち取り付け作業等において、ガラスの回動作業も含めたすべての作業が１名の作業者で迅速、安全に行なうことができる。また少ない労力で作業ができ、女性のように比較的力の弱い作業者でも作業を行うことができる等の効果を奏する。
【００１１】
上記作業台をモーター等で回動させるために駆動機構を取り付けた場合には、さらに作業者の労力が省力できると共に、作業スピードが速まる等の効果を奏する。
【００１２】
上記ガラスの載置部を支持部に対して上下方向に移動可能に構成した場合には、作業対象のガラスの大きさに合わせて自由にその高さ位置を変更できるから、あらゆる大きさのガラスに対して正確で安定した作業が行なえる。
【発明を実施するための最良の形態】
【００１３】
本発明を実施するための最良の形態は、基板の両端に２本の支持脚を立設し、この支持脚の上部を連結すると共に、支持脚の下部にガラスの載置部を形成した支持部を構成する。このように構成した２個の支持部を対向して配置して、それぞれの上端を回動軸で連結すると共に、下部を横枠で連結して固定する。
上記回動軸に一定角度回動可能な作業台を貫通して取り付ける。そして作業台の上面には、ガラスを固定するための吸盤機構と滑り止め手段を備えたガラスの固定板を構成したガラスの回転作業台である。
【００１４】
以下、本発明の第１実施形態を図に基づいて説明する。
図１は第１実施形態の正面斜視図、図２は同背面斜視図、図３は同背面の一部拡大斜視図である。
【００１５】
本実施形態は、角材等で構成した基板１０の両端に同じ長さの支持脚２１、２１を立設し、この支持脚２１，２１の上端を締結して全体として二等辺三角形状の支持部２０を構成する。上記支持脚２１，２１の前方下部には、上部に載置面２６，２６を設けたガラスの載置部２５，２５を構成している。このガラスの載置部２５，２５は、後述のように大きさの異なるガラス８０に対応するために、上記ガラスの載置面２６，２６を高さ調節可能な構成とすることができる。
そして、この支持部２０を２個作成し、一定間隔を有して上端を回動軸４０で連結すると共に、下部を横枠２３，２３で連結して固定する。
また、上記支持部２０は、支持脚２１，２１の上端を締結した形状に限らず、例えば側面視三角形状の板状部材でも良い。
【００１６】
上記回動軸４０を貫通して作業台３０が取り付けられている。そのため作業台３０は回動軸４０を中心にして回動可能となっている。
この作業台３０の上面には、ゴム等の摩擦抵抗の大きい材質からなるガラスの固定板５０を構成する。この固定板５０上には、ガラスの固定手段である吸盤機構５２及び滑り止め手段５１が構成されている。
【００１７】
上記吸盤機構５２は、作業台３０の裏面に掛け渡した補強部材３４，３４によって取り付けられていて、レバー５３，５４によって操作するものである（図３参照）。
また、上記滑り止め手段５１は、固定板５０の表面に多数の凹溝と凸条を交互に連続的に構成することによって作成している。
【００１８】
また、支持脚２１の内側にはストッパ２２が設けてあり、これによって作業台３０の回動が制御されると共に、作業台３０が安定して作業位置に固定されるのである。このストッパ２２は対向する支持部２０の支持脚２１に１個ずつ取り付けてある。
なお、符号６０はワイヤーであり、作業台３０に設けた巻取器３２と横枠２３の間に張設されていて、作業台３０を回動させたときに，ワイヤー６０が繰り出されたり、巻き取られたりすることによって、作業台３０の回動の勢いを抑える働きをする。したがって、作業台３０をモーターの駆動力で回動させる場合には、このワイヤー６０，６０は必要としない。
【００１９】
次に、本実施形態の作用について説明する。本実施形態では、作業の対象として大型のペアガラスにかまちを取り付ける場合を説明するが、これに限らず各種のガラスの作業ができる。
【００２０】
まず図１に示すように、ガラス８０の長手方向の縁部を載置部２５，２５の上部の載置面２６，２６に載置して、ガラス８０を固定板５０の表面に倒して密着させる。
その後、作業台３０の裏面に設置したレバー５３、５３を押し続けることにより吸盤機構５２内の空気を抜きガラス８０の裏面を吸盤機構５２の吸引力で固定板５０の表面に密着固定する。
【００２１】
次いで図４に示すように、作業者がガラス８０の両端の縁部にかまち８２，８２と長手方向の縁部にかまち８３を取り付けた後、ビス留めをする。このとき、ガラス８０は、上記のように傾斜した状態で作業台３０上に強固に固定されていると共に、作業台３０はストッパ２２によって回動が制御されているから、作業者はガラス８０が完全に固定された状態で作業が行なえるため安全であり、作業効率も向上する。
【００２２】
上記基板１０と支持脚２１は二等辺三角形状に構成されており、かつストッパ２２の作用によって、作業台３０は支持脚２１と同じ傾斜角度で止まっている（図５参照）。そのためガラス８０を固定板５０の上に載置したときに、ガラス８０の両側は作業台３０より外側に位置するが、支持脚２１，２１と干渉することはない。そのため、ガラス８０の大きさに制限されることなく作業が行なえると共に、支持脚２１が作業者の邪魔とならないのである。
また、ガラス８０の長手方向の縁部は、作業台３０の縁より上方に位置しているから、作業者は腰をかがめることなく楽な姿勢で作業が行なえる。
【００２３】
その後、図６に示すように、ガラス８０の端部を持って回動軸４０を中心に矢印Ａ方向に回動させると、ガラス８０は作業台３０と共に回動して図７の作業位置になる。
このときガラス８０は、その長手方向の下縁部が載置部等に支持されていないが、固定板５０の表面の摩擦力及び吸盤機構５２と滑り止め手段５１の作用によって固定板５０に強固に固定されているため、ガラス８０が外れたりあるいは位置がずれたりすることはなく、安定した状態で作業が行なえる。
この状態で、ガラス８０の上縁部に長手方向のかまち８３を取り付けた後、ビス留めをする。
【００２４】
上記かまちの取り付け作業が終了したら、ガラス８０を元の位置に戻すために、ガラス８０の端部を持って回動軸４０を中心に上記矢印Ａと反対方向に回動させて、ガラス８０を図１の初期の作業位置にする。
そして、作業者は図３に示す吸盤機構５２のレバー５４を倒して空気を入れて吸着を解除し、図８に示すようにガラス８０を固定板５０より外して他の場所へと運んでいけばよい。
このとき吸盤機構５２の吸着を解除しても、ガラス８０はその下縁部が前述の載置台２６の載置面２６に支持されていると共に、傾斜して固定板５０の表面で安定を保っているから、ガラス８０が倒れたりすることはない。
【００２５】
次に、本発明の第２実施形態を説明する。図９は本実施形態の斜視図である。
本実施形態は上記第１実施形態のガラス８０の回動時に、作業台３０を人手によらずモーターによって回動させるものである。本実施形態において上記第１実施形態と同一の部分は説明を省略する。
【００２６】
図９において、符号９０は駆動機構である。この駆動機構９０は内部にモーター及びギア（図示せず）を内蔵している。このギアはモーターの回転力を減速して回動軸４０に伝達するものである。そしてモーターは、下方に配置したフットスイッチ９２でオン、オフ等の操作を行なうことができる。
【００２７】
使用に際しては、前記かまちの取り付け作業において、ガラス８０の端部を持って回動軸４０を中心に回動させるときに、フットスイッチ９２を足で踏むことによりモーターを回動させて作業台３０を回動軸４０を中心に回動させる。
【００２８】
そして、一定角度回動の後、駆動機構９０内に設けたリミットスイッチによってモーターの回転は停止し、作業台３０は図５のように支持脚２１と同じ傾斜位置に停止する。
【００２９】
これによって、作業者は自らがガラス８０を手で持って回動させる必要がなくなり、フットスイッチ９２の操作を行なうことによってかまちの取り付け作業が迅速に進められる。また吸盤機構５２の空気を抜き取るための電動駆動のバキュームユニット９１を、真空ホース９１ａを介して吸盤機構５２に取り付けて、フットスイッチ９２でその操作をすることもできる。
【００３０】
図１０及び図１１にガラスの載置台の他の実施例を示す。
この実施例は、上端にガラスの載置面４６、４６を設けた載置台４５、４５を支持脚２１、２１に対して上下方向移動自在な構成としたものである。
【００３１】
載置台４５の背面に、適宜数の係合凹部４５ａを形成すると共に、背面両端に支持腕４８，４８を立設し、この支持腕４８，４８の先端部分に係合突部４８ａ、４８ａを内側に向けて対向して構成する。
そして、載置台４５の下端には、湾曲可能な弾力性のある材質で構成した調節部４７を垂設する。この調節部４７の背面には鋸歯状の係合体４７ａを構成すると共に、前面にはレバー４９を構成している。
【００３２】
一方、支持脚２１の側面には、上記支持腕４８，４８の係合突部４８ａ、４８ａが係合する溝部２１ａ，２１ａを所定の長さ削設する。
そして、支持脚２１の前面には所定の長さの係止部２９を構成する。この係止部２９の表面には鋸歯状の係止体２９ａを構成して、上記調節部４７の係合体４７ａを、係止体２９ａに係合して載置部４５を支持脚２１上に固定するのである。
【００３３】
上記載置台４５の使用に際しては、図１０の初期状態から、レバー４９を握り調節部４７を前方側に曲げて、係合体４７ａと係止体２９ａの係合状態を解除して載置台４５を移動可能状態にする。
この状態で、支持腕４８の先端部分の係合突部４８ａを溝部２１ａに摺動させながら、当該ガラスの大きさに合わせて載置台４５を上昇又は下降させて所定の位置に配置する。
その後、レバー４９を離すと、レバー４９は弾性力で復帰するから、係合体４７ａが係止体２９ａと係合した状態になり、かつ係止体２９ａが載置台４５背面の係合凹部４５ａに係合して、載置台４５は確実に安定した状態で支持脚２１上に固定される。
【００３４】
このようにして、本実施例の載置台４５は、作業対象のガラスの大きさに合わせて自由にその高さ位置を変更できるから、あらゆる大きさのガラスに対して正確で安定した作業が行なえるのである。
【図面の簡単な説明】
【００３５】
【図１】本発明の第１実施形態の正面斜視図
【図２】本発明の第１実施形態の背面斜視図
【図３】本発明の第１実施形態の一部拡大斜視図
【図４】本発明の第１実施形態の作業状態を示す斜視図
【図５】本発明の第１実施形態の側面図
【図６】本発明の第１実施形態の作業状態を示す斜視図
【図７】本発明の第１実施形態の作業状態を示す斜視図
【図８】本発明の第１実施形態の作業状態を示す斜視図
【図９】本発明の第２実施形態の背面斜視図
【図１０】載置台の他の実施例を示す使用状態の斜視図
【図１１】載置台の他の実施例を示す背面斜視図
【符号の説明】
【００３６】
１０  基板
２０  支持部
２１  支持脚
２２  ストッパ
２５  載置部
３０  作業台
４０  回動軸
４５  載置台
４６  載置面
５０  固定板
５１  滑り止め手段
５２  吸盤機構
６０  ワイヤー
８０  ガラス
８２  かまち  
８３  かまち
９０  駆動機構
９１  バキュームユニット
９２  フットスイッチ
【図１】
2006322274.tif 000003
【図２】
2006322274.tif 000004
【図３】
2006322274.tif 000005
【図４】
2006322274.tif 000006
【図５】
2006322274.tif 000007
【図６】
2006322274.tif 000008
【図７】
2006322274.tif 000009
【図８】
2006322274.tif 000010
【図９】
2006322274.tif 000011
【図１０】
2006322274.tif 000012
【図１１】
2006322274.tif 000013
【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
２個の二等辺三角形状の支持部を対向して配置し、その下部を横枠で連結すると共に上端を回動軸で連結してなり、上記支持部の前方下部にガラスの載置部を形成し、内側には作業台を支持部と同じ傾斜角度で止めるためのストッパを設け、上記回動軸に、上面にガラスの固定板を構成した作業台を回動可能に取り付け、かつ作業台に設けた巻取器と横枠の間に、作業台の回動の勢いを抑えるためのワイヤーを張設したガラスの回転作業台。
【請求項２】
２個の二等辺三角形状の支持部を対向して配置し、その下部を横枠で連結すると共に上端を回動軸で連結してなり、上記支持部の前方下部にガラスの載置部を形成し、内側には作業台を支持部と同じ傾斜角度で止めるためのストッパを設け、上記回動軸に、上面にガラスの固定板を構成した作業台を回動可能に取り付けると共に、この作業台を回動させるための駆動機構を取り付けてなるガラスの回転作業台。
【請求項３】
上記ガラスの載置部を支持部に対して上下方向に移動可能に構成したことを特徴とする請求項１または請求項２記載のガラスの回転作業台。
【手続補正２】
【補正対象書類名】明細書
【補正対象項目名】０００６
【補正方法】変更
【補正の内容】
【０００６】
本発明の要旨とするところは、２個の二等辺三角形状の支持部を対向して配置し、その下部を横枠で連結すると共に上端を回動軸で連結してなり、上記支持部の前方下部にガラスの載置部を形成し、内側には作業台を支持部と同じ傾斜角度で止めるためのストッパを設け、上記回動軸に、上面にガラスの固定板を構成した作業台を回動可能に取り付け、かつ作業台に設けた巻取器と横枠の間に、作業台の回動の勢いを抑えるためのワイヤーを張設したガラスの回転作業台である。
【手続補正３】
【補正対象書類名】明細書
【補正対象項目名】０００７
【補正方法】変更
【補正の内容】
【０００７】
また、本発明の要旨とするところは、２個の二等辺三角形状の支持部を対向して配置し、その下部を横枠で連結すると共に上端を回動軸で連結してなり、上記支持部の前方下部にガラスの載置部を形成し、内側には作業台を支持部と同じ傾斜角度で止めるためのストッパを設け、上記回動軸に、上面にガラスの固定板を構成した作業台を回動可能に取り付けると共に、この作業台を回動させるための駆動機構を取り付けてなるガラスの回転作業台である。
【手続補正４】
【補正対象書類名】明細書
【補正対象項目名】０００８
【補正方法】削除
【補正の内容】